(57)【特許請求の範囲】
【請求項１】
原稿の両面画像を順次読み取る画像入力装置で入力処理した入力データを画像出力装置に印刷依頼する印刷制御装置において、
前記入力データの出力の指示を受け付ける指示受付手段と、
前記指示受付手段で受け付けた前記入力データの出力指示に基づき、ジョブを作成するジョブ作成手段と、
前記ジョブ作成手段で作成したジョブに従って、前記入力データを印刷イメージに変換するとともに、前記入力データから白紙ページのデータを検知して削除し、該白紙ページのデータが削除された入力データを電子ファイルに変換する変換手段と、
前記変換手段で変換した印刷イメージおよび電子ファイルを保存するファイル管理手段と、
前記入力データの出力の指示が印刷出力の場合は、前記印刷イメージを前記画像出力装置に送信して両面印刷の原稿の入力データは両面印刷で印刷し、片面印刷の原稿の入力データは片面印刷で印刷する印刷イメージ送信手段と
を具備することを特徴とする印刷制御装置。
【請求項２】
前記印刷イメージ送信手段は、
前記画像出力装置に送信する印刷イメージの数を算出する印刷イメージアカウント手段  を具備する
ことを特徴とする請求項１記載の印刷制御装置。
【請求項３】
前記指示受付手段で受け付けた入力データの出力の指示を記述した指示書を作成する指示書作成手段
を更に具備し、
前記ジョブ作成手段は、
前記指示書作成手段で作成した指示書に基づき、前記ジョブを作成する
ことを特徴とする請求項１記載の印刷制御装置。
【請求項４】
前記印刷イメージに対するページ番号付与の制御を実施するページ番号付与手段を更に具備する
ことを特徴とする請求項１記載の印刷制御装置。
【請求項５】
原稿の両面画像を順次読み取る画像入力装置で入力処理した入力データを画像出力装置に印刷依頼する印刷制御装置において、
前記入力データの出力の指示を受け付ける指示受付手段と、
前記指示受付手段で受け付けた前記入力データの出力の指示に基づき、ジョブを作成するジョブ作成手段と、
前記ジョブ作成手段で作成したジョブに従って、前記入力データをシングルページ毎のファイルに変換するシングルページ変換手段と、
前記シングルページ変換手段で変換したシングルページ毎のファイルに対して白紙検知を実施する白紙検知手段と、
前記白紙検知手段で白紙と検知されたページに対応するファイルにＯＮフラグを設定し、該白紙検知手段で白紙ではないと検知されたページに対応するファイルにＯＦＦフラグを設定するフラグ設定手段と、
前記ＯＮフラグおよび前記ＯＦＦフラグの設定を保持して、前記ファイルを印刷イメージに変換する印刷イメージ変換手段と、
前記フラグ設定手段でＯＮフラグが設定されたページに対応するファイルを削除し、該フラグ設定手段でＯＦＦフラグが設定されたページに対応するファイルを電子ファイルに変換する電子ファイル変換手段と、
前記印刷イメージ変換手段で変換した印刷イメージ、および前記電子ファイル変換手段で変換した電子ファイルを保存するファイル管理手段と、
前記入力データの出力の指示が印刷出力の場合は、前記印刷イメージを画像出力装置に送信して両面印刷の原稿の入力データは両面印刷で印刷し、片面印刷の原稿の入力データは片面印刷で印刷する印刷イメージ送信手段と
を具備することを特徴とする印刷制御装置。
【請求項６】
前記印刷イメージ送信手段は、
前記印刷イメージに設定されているＯＮフラグに基づいて白紙のイメージの数を算出し、該算出した白紙のイメージの数を除く前記画像出力装置に送信する印刷イメージの数を算出する印刷イメージアカウント手段
を具備することを特徴とする請求項５記載の印刷制御装置。
【請求項７】
前記ＯＦＦフラグが設定されている印刷イメージのサムネイルを表示する
ことを特徴とする請求項５記載の印刷制御装置。
【請求項８】
前記指示受付手段で受け付けた入力データの出力の指示を記述した指示書を作成する指示書作成手段
を更に具備し、
前記ジョブ作成手段は、
前記指示書作成手段で作成した指示書に基づき、前記ジョブを作成する
ことを特徴とする請求項５記載の印刷制御装置。
【請求項９】
前記印刷イメージに対するページ番号付与の制御を実施するページ番号付与手段を更に具備する
ことを特徴とする請求項５記載の印刷制御装置。
【請求項１０】
原稿の両面画像を順次読み取る画像入力装置で入力処理した入力データを画像出力装置に印刷依頼する印刷制御装置において、
前記入力データの出力の指示を受け付ける指示受付手段と、
前記指示受付手段で受け付けた前記入力データの出力の指示に基づき、ジョブを作成するジョブ作成手段と、
前記ジョブ作成手段で作成したジョブに従って、前記入力データをシングルページ毎のファイルに変換するシングルページ変換手段と、
前記シングルページ変換手段で変換したシングルページ毎のファイルに対して白紙検知を実施する白紙検知手段と、
前記白紙検知手段で白紙と検知されたページに対応するファイルを削除し、該白紙と検知されたページを白紙の位置情報に記録する白紙ページ処理手段と、
前記白紙検知手段で白紙ではないと検知されたページに対応するファイルを電子ファイルに変換する電子ファイル変換手段と、
前記白紙検知手段で白紙ではないと検知されたページに対応するファイルを印刷イメージに変換する印刷イメージ変換手段と、
前記白紙ページ処理手段で記録した白紙の位置情報、前記印刷イメージ変換手段で変換した印刷イメージ、および前記電子ファイル変換手段で変換した電子ファイルを保存するファイル管理手段と、
前記入力データの出力の指示が印刷出力の場合は、前記印刷イメージおよび予め用意した白紙イメージを前記画像出力装置に送信して両面印刷の原稿の入力データは両面印刷で印刷し、片面印刷の原稿の入力データは片面印刷で印刷する印刷イメージ送信手段と
を具備し、
前記印刷イメージ送信手段は、
前記印刷イメージを前記画像出力装置に送信する際に、該送信する印刷イメージの数を算出し、該算出した数が前記白紙の位置情報が示す前記白紙のページの位置の場合に、前記予め用意した白紙イメージを前記画像出力装置に送信する
ことを特徴とする印刷制御装置。
【請求項１１】
前記指示受付手段で受け付けた入力データの出力の指示を記述した指示書を作成する指示書作成手段
を更に具備し、
前記ジョブ作成手段は、
前記指示書作成手段で作成した指示書に基づき、前記ジョブを作成する
ことを特徴とする請求項１０記載の印刷制御装置。
【請求項１２】
前記印刷イメージに対するページ番号付与の制御を実施するページ番号付与手段を更に具備する
ことを特徴とする請求項１０記載の印刷制御装置。
【請求項１３】
コンピュータを、原稿の両面画像を順次読み取る画像入力装置で入力処理した入力データを画像出力装置に印刷依頼する印刷制御装置として機能させる印刷制御プログラムにおいて、
前記入力データの出力の指示を受け付ける指示受付処理と、
前記受け付けた入力データの出力の指示に基づき、ジョブを作成するジョブ作成処理と、
前記作成したジョブに従って、前記入力データを印刷イメージに変換するとともに、前記入力データから白紙ページのデータを検知して削除し、該白紙ページのデータが削除された入力データを電子ファイルに変換する変換処理と、
前記印刷イメージおよび前記電子ファイルを保存するファイル管理処理と、
前記入力データの出力の指示が印刷出力の場合は、前記印刷イメージを前記画像出力装置に送信して両面印刷の原稿の入力データは両面印刷で印刷し、片面印刷の原稿の入力データは片面印刷で印刷する印刷イメージ送信処理と
をコンピュータに実行させることを特徴とする印刷制御プログラム。
【請求項１４】
前記印刷イメージを前記画像出力装置に送信する際に、前記画像出力装置に送信する印刷イメージの数を算出する印刷イメージアカウント処理
を更にコンピュータに実行させることを特徴とする請求項１３記載の印刷制御プログラム。
【請求項１５】
前記入力データの出力の指示を記述した指示書を作成する指示書作成処理
をコンピュータに更に実行させ、
前記ジョブ作成処理は、
前記作成した指示書に基づき、前記ジョブを作成する
ことを特徴とする請求項１３記載の印刷制御プログラム。
【請求項１６】
前記印刷イメージに対するページ番号付与の制御を実施するページ番号付与制御処理
を更にコンピュータに実行させる
ことを特徴とする請求項１３記載の印刷制御プログラム。
【請求項１７】
コンピュータを、原稿の両面画像を順次読み取る画像入力装置で入力処理した入力データを画像出力装置に印刷依頼する印刷制御装置として機能させる印刷制御プログラムにおいて、
前記入力データの出力の指示を受け付ける指示受付処理と、
前記受け付けた前記入力データの出力の指示に基づき、ジョブを作成するジョブ作成処理と、
前記作成したジョブに従って、前記入力データをシングルページ毎のファイルに変換するシングルページ変換処理と、
前記変換したシングルページ毎のファイルに対して白紙検知を実施する白紙検知処理と、
前記白紙検知により白紙と検知されたページに対応するファイルにＯＮフラグを設定し、前記白紙検知により白紙ではないと検知されたページに対応するファイルにＯＦＦフラグを設定するフラグ設定処理と、
前記ＯＮフラグおよび前記ＯＦＦフラグの設定を保持して、前記ファイルを印刷イメージに変換する印刷イメージ変換処理と、
前記ＯＮフラグが設定されたページに対応するファイルを削除し、前記ＯＦＦフラグが設定されたページに対応するファイルを電子ファイルに変換する電子ファイル変換処理と、
前記印刷イメージおよび前記電子ファイルを保存するファイル管理処理と、
前記入力データの出力の指示が印刷出力の場合は、前記印刷イメージを画像出力装置に送信して両面印刷の原稿の入力データは両面印刷で印刷し、片面印刷の原稿の入力データは片面印刷で印刷する印刷イメージ送信処理と
をコンピュータに実行させることを特徴とする印刷制御プログラム。
【請求項１８】
前記印刷イメージを前記画像出力装置に送信する際に、前記印刷イメージに設定されているＯＮフラグに基づいて白紙のイメージの数を算出し、該算出した白紙のイメージの数を除く前記画像出力装置に送信する印刷イメージの数を算出する印刷イメージアカウント処理をコンピュータに実行させる
ことを特徴とする請求項１７記載の印刷制御プログラム。
【請求項１９】
前記ＯＦＦフラグが設定されている印刷イメージのサムネイルを表示するサムネイル表示処理をコンピュータに実行させる
ことを特徴とする請求項１７記載の印刷制御プログラム。
【請求項２０】
前記入力データの出力の指示を記述した指示書を作成する指示書作成処理
を更にコンピュータに実行させ、
前記ジョブ作成処理は、
前記作成した指示書に基づき、前記ジョブを作成する
ことを特徴とする請求項１７記載の印刷制御プログラム。
【請求項２１】
前記印刷イメージに対するページ番号付与の制御を実施するページ番号付与制御処理
を更にコンピュータに実行させる
ことを特徴とする請求項１７記載の印刷制御プログラム。
【請求項２２】
コンピュータを、原稿の両面画像を順次読み取る画像入力装置で入力処理した入力データを画像出力装置に印刷依頼する印刷制御装置として機能させる印刷制御プログラムにおいて、
前記入力データの出力の指示を受け付ける指示受付手段と、
前記指示受付手段で受け付けた前記入力データの出力の指示に基づき、ジョブを作成するジョブ作成手段と、
前記ジョブ作成手段で作成したジョブに従って、前記入力データをシングルページ毎のファイルに変換するシングルページ変換手段と、
前記シングルページ変換手段で変換したシングルページ毎のファイルに対して白紙検知を実施する白紙検知手段と、
前記白紙検知手段で白紙と検知されたページに対応するファイルを削除し、該白紙と検知されたページを白紙の位置情報に記録する白紙ページ処理手段と、
前記白紙検知手段で白紙ではないと検知されたページに対応するファイルを電子ファイルに変換する電子ファイル変換手段と、
前記白紙検知手段で白紙ではないと検知されたページに対応するファイルを印刷イメージに変換する印刷イメージ変換手段と、
前記白紙ページ処理手段で記録した白紙の位置情報、前記印刷イメージ変換手段で変換した印刷イメージ、および前記電子ファイル変換手段で変換した電子ファイルを保存するファイル管理手段と、
前記入力データの出力の指示が印刷出力の場合は、前記印刷イメージおよび予め用意した白紙イメージを前記画像出力装置に送信して両面印刷の原稿の入力データは両面印刷で印刷し、片面印刷の原稿の入力データは片面印刷で印刷する印刷イメージ送信手段とをコンピュータに実行させ、
前記印刷イメージ送信手段は、
前記印刷イメージを前記画像出力装置に送信する際に、該送信する印刷イメージの数を算出し、該算出した数が前記白紙の位置情報が示す前記白紙のページの位置の場合に、前記予め用意した白紙イメージを前記画像出力装置に送信することを特徴とする印刷制御プログラム。
【請求項２３】
前記入力データの出力の指示を記述した指示書を作成する指示書作成処理
を更にコンピュータに実行させ、
前記ジョブ作成処理は、
前記作成した指示書に基づき、前記ジョブを作成する  
ことを特徴とする請求項２２記載の印刷制御プログラム。
【請求項２４】
前記印刷イメージに対するページ番号付与の制御を実施するページ番号付与制御処理を更にコンピュータに実行させる
ことを特徴とする請求項２２記載の印刷制御プログラム。
【発明の詳細な説明】
【技術分野】
【０００１】
本発明は、印刷制御装置およびプログラムに関し、特に、１回のスキャンで、電子化したファイルへの出力、および紙への出力を実施する印刷制御装置およびプログラムに関する。
【背景技術】
【０００２】
近年、デジタルコピー技術の発展により、両面印刷における様々な制御が提案されている。
【０００３】
例えば、ページ数が奇数の原稿を両面印刷する場合、予め作成した白紙イメージを最終ページとして使用することで、両面印刷から片面印刷へ切り替ることなく、印刷を実施する印刷制御装置における両面印刷方式がある（例えば、特許文献１参照。）。
【特許文献１】特開２００３−１８２１６３号公報
【発明の開示】
【発明が解決しようとする課題】
【０００４】
しかし、片面および両面が混在する原稿を電子化したファイルとして出力する場合、白紙のページは無駄になるので、ユーザは片面の原稿に対して片面印刷制御を実施し、両面の原稿に対して両面印刷制御を実施しながらスキャンするという煩雑な操作を行わなければならないという問題がある。
【０００５】
更に、上記の片面および両面が混在する原稿を紙に出力する場合、ユーザは当該原稿を両面印刷でスキャンし直さなければならなず、上記で出力した電子化したファイルを利用することができないという問題がある。
【０００６】
そこで、本発明は、１回のスキャンで同時に、電子化したファイルへの出力では白紙のページを削除し、紙への出力では原稿と全く同じように両面は両面で印刷し、片面は片面で印刷することが可能な印刷制御装置およびプログラムを提供することを目的とする。
【課題を解決するための手段】
【０００７】
上記目的を達成するため、請求項１の発明は、原稿の両面画像を順次読み取る画像入力装置で入力処理した入力データを画像出力装置に印刷依頼する印刷制御装置において、前記入力データの出力の指示を受け付ける指示受付手段と、前記指示受付手段で受け付けた前記入力データの出力指示に基づき、ジョブを作成するジョブ作成手段と、前記ジョブ作成手段で作成したジョブに従って、前記入力データを印刷イメージに変換するとともに、前記入力データから白紙ページのデータを検知して削除し、該白紙ページのデータが削除された入力データを電子ファイルに変換する変換手段と、前記変換手段で変換した印刷イメージおよび電子ファイルを保存するファイル管理手段と、前記入力データの出力の指示が印刷出力の場合は、前記印刷イメージを前記画像出力装置に送信して両面印刷の原稿の入力データは両面印刷で印刷し、片面印刷の原稿の入力データは片面印刷で印刷する印刷イメージ送信手段とを具備することを特徴とする。
する。
【０００８】
なお、指示受付手段は図２に示す指示受付モジュール６に対応し、ジョブ作成手段は図２に示すジョブ作成手段１５に対応し、印刷イメージ変換手段は図３に示す印刷イメージ変換手段２０１に対応し、白紙検知手段は図３に示す白紙検知手段１７１に対応し、白紙ページ処理手段は図３に示す白紙ページ処理手段１８１に対応し、電子ファイル変換手段は図３に示す電子ファイル変換手段１９１に対応し、ファイル管理手段は図２に示すファイル管理モジュール１１に対応し、印刷イメージ送信手段は図２に示す印刷イメージ送信モジュール１３に対応する。
【０００９】
また、請求項２の発明は、請求項１の発明において、前記印刷イメージ送信手段は、前記画像出力装置に送信する印刷イメージの数を算出する印刷イメージアカウント手段を具備することを特徴とする。
【００１０】
なお、印刷イメージアカウント手段は図２に示す印刷イメージアカウント手段１６に対応する。
【００１１】
また、請求項３の発明は、請求項１の発明において、前記指示受付手段で受け付けた入力データの出力の指示を記述した指示書を作成する指示書作成手段を更に具備し、前記ジョブ作成手段は、前記指示書作成手段で作成した指示書に基づき、前記ジョブを作成することを特徴とする。
【００１２】
なお、指示書作成手段は図２に示す指示書作成モジュール８に対応する。
【００１３】
また、請求項４の発明は、請求項１の発明において、前記印刷イメージに対するページ番号付与の制御を実施するページ番号付与手段を更に具備することを特徴とする。
【００１４】
また、請求項５の発明は、原稿の両面画像を順次読み取る画像入力装置で入力処理した入力データを画像出力装置に印刷依頼する印刷制御装置において、前記入力データの出力の指示を受け付ける指示受付手段と、前記指示受付手段で受け付けた前記入力データの出力の指示に基づき、ジョブを作成するジョブ作成手段と、前記ジョブ作成手段で作成したジョブに従って、前記入力データをシングルページ毎のファイルに変換するシングルページ変換手段と、前記シングルページ変換手段で変換したシングルページ毎のファイルに対して白紙検知を実施する白紙検知手段と、前記白紙検知手段で白紙と検知されたページに対応するファイルにＯＮフラグを設定し、該白紙検知手段で白紙ではないと検知されたページに対応するファイルにＯＦＦフラグを設定するフラグ設定手段と、前記ＯＮフラグおよび前記ＯＦＦフラグの設定を保持して、前記ファイルを印刷イメージに変換する印刷イメージ変換手段と、前記フラグ設定手段でＯＮフラグが設定されたページに対応するファイルを削除し、該フラグ設定手段でＯＦＦフラグが設定されたページに対応するファイルを電子ファイルに変換する電子ファイル変換手段と、前記印刷イメージ変換手段で変換した印刷イメージ、および前記電子ファイル変換手段で変換した電子ファイルを保存するファイル管理手段と、前記入力データの出力の指示が印刷出力の場合は、前記印刷イメージを画像出力装置に送信して両面印刷の原稿の入力データは両面印刷で印刷し、片面印刷の原稿の入力データは片面印刷で印刷する印刷イメージ送信手段とを具備することを特徴とする。
【００１５】
なお、指示受付手段は図２に示す指示受付モジュール６に対応し、ジョブ作成手段は図２に示すジョブ作成手段１５に対応し、シングルページ変換手段は図７に示すシングルページ変換手段２４２に対応し、白紙検知手段は図７に示す白紙検知手段１７２に対応し、フラグ設定手段は図７に示すフラグ設定手段２５に対応し、電子ファイル変換手段は図７に示す電子ファイル変換手段１９２に対応し、印刷イメージ変換手段は図７に示す印刷イメージ変換手段２０２に対応し、ファイル管理手段は図２に示すファイル管理モジュール１１に対応し、印刷イメージ送信手段は図２に示す印刷イメージ送信モジュール１３に対応する。
【００１６】
また、請求項６の発明は、請求項５の発明において、前記印刷イメージ送信手段は、前記印刷イメージに設定されているＯＮフラグに基づいて白紙のイメージの数を算出し、該算出した白紙のイメージの数を除く前記画像出力装置に送信する印刷イメージの数を算出する印刷イメージアカウント手段を具備することを特徴とする。
【００１７】
なお、印刷イメージアカウント手段は図２に示す印刷イメージアカウント手段１６に対応する。
【００１８】
また、請求項７の発明は、請求項５の発明において、前記ＯＦＦフラグが設定されている印刷イメージのサムネイルを表示することを特徴とする。
【００１９】
また、請求項８の発明は、請求項５の発明において、前記指示受付手段で受け付けた入力データの出力の指示を記述した指示書を作成する指示書作成手段  を更に具備し、前記ジョブ作成手段は、前記指示書作成手段で作成した指示書に基づき、前記ジョブを作成することを特徴とする。
【００２０】
なお、指示書作成手段は図２に示す指示書作成モジュール８に対応する。
【００２１】
また、請求項９の発明は、請求項５の発明において、前記印刷イメージに対するページ番号付与の制御を実施するページ番号付与手段を更に具備することを特徴とする。
【００２２】
また、請求項１０の発明は、原稿の両面画像を順次読み取る画像入力装置で入力処理した入力データを画像出力装置に印刷依頼する印刷制御装置において、前記入力データの出力の指示を受け付ける指示受付手段と、前記指示受付手段で受け付けた前記入力データの出力の指示に基づき、ジョブを作成するジョブ作成手段と、前記ジョブ作成手段で作成したジョブに従って、前記入力データをシングルページ毎のファイルに変換するシングルページ変換手段と、前記シングルページ変換手段で変換したシングルページ毎のファイルに対して白紙検知を実施する白紙検知手段と、前記白紙検知手段で白紙と検知されたページに対応するファイルを削除し、該白紙と検知されたページを白紙の位置情報に記録する白紙ページ処理手段と、前記白紙検知手段で白紙ではないと検知されたページに対応するファイルを電子ファイルに変換する電子ファイル変換手段と、前記白紙検知手段で白紙ではないと検知されたページに対応するファイルを印刷イメージに変換する印刷イメージ変換手段と、前記白紙ページ処理手段で記録した白紙の位置情報、前記印刷イメージ変換手段で変換した印刷イメージ、および前記電子ファイル変換手段で変換した電子ファイルを保存するファイル管理手段と、前記入力データの出力の指示が印刷出力の場合は、前記印刷イメージおよび予め用意した白紙イメージを前記画像出力装置に送信して両面印刷の原稿の入力データは両面印刷で印刷し、片面印刷の原稿の入力データは片面印刷で印刷する印刷イメージ送信手段とを具備し、前記印刷イメージ送信手段は、前記印刷イメージを前記画像出力装置に送信する際に、該送信する印刷イメージの数を算出し、該算出した数が前記白紙の位置情報が示す前記白紙のページの位置の場合に、前記予め用意した白紙イメージを前記画像出力装置に送信することを特徴とする。
【００２３】
なお、指示受付手段は図２に示す指示受付モジュール６に対応し、ジョブ作成手段は図２に示すジョブ作成手段１５に対応し、シングルページ変換手段は図１２に示すシングルページ変換手段２４３に対応し、白紙検知手段は図１２に示す白紙検知手段１７３に対応し、白紙ページ処理手段は図１２に示す白紙ページ処理手段１８３に対応し、電子ファイル変換手段は図１２に示す電子ファイル変換手段１９３に対応し、印刷イメージ変換手段は図１２に示す印刷イメージ変換手段２０３に対応し、ファイル管理手段は図２に示すファイル管理モジュール１１に対応し、印刷イメージ送信手段は図２に示す印刷イメージ送信モジュール１３に対応する。
【００２８】
また、請求項１１の発明は、請求項１０の発明において、前記指示受付手段で受け付けた入力データの出力の指示を記述した指示書を作成する指示書作成手段を更に具備し、前記ジョブ作成手段は、前記指示書作成手段で作成した指示書に基づき、前記ジョブを作成することを特徴とする。
【００２９】
なお、指示書作成手段は図２に示す指示書作成モジュール８に対応する。
【００３０】
また、請求項１２の発明は、請求項１０の発明において、前記印刷イメージに対するページ番号付与の制御を実施するページ番号付与手段を更に具備することを特徴とする。
【００３１】
また、請求項１３の発明は、コンピュータを、原稿の両面画像を順次読み取る画像入力装置で入力処理した入力データを画像出力装置に印刷依頼する印刷制御装置として機能させる印刷制御プログラムにおいて、前記入力データの出力の指示を受け付ける指示受付処理と、前記受け付けた入力データの出力の指示に基づき、ジョブを作成するジョブ作成処理と、前記作成したジョブに従って、前記入力データを印刷イメージに変換するとともに、前記入力データから白紙ページのデータを検知して削除し、該白紙ページのデータが削除された入力データを電子ファイルに変換する変換処理と、前記印刷イメージおよび前記電子ファイルを保存するファイル管理処理と、前記入力データの出力の指示が印刷出力の場合は、前記印刷イメージを前記画像出力装置に送信して両面印刷の原稿の入力データは両面印刷で印刷し、片面印刷の原稿の入力データは片面印刷で印刷する印刷イメージ送信処理とをコンピュータに実行させることを特徴とする。
【００３２】
また、請求項１４の発明は、請求項１３の発明において、前記印刷イメージを前記画像出力装置に送信する際に、前記画像出力装置に送信する印刷イメージの数を算出する印刷イメージアカウント処理を更にコンピュータに実行させることを特徴とする。
【００３３】
また、請求項１５の発明は、請求項１３の発明において、前記入力データの出力の指示を記述した指示書を作成する指示書作成処理を更にコンピュータに実行させ、前記ジョブ作成処理は、前記作成した指示書に基づき、前記ジョブを作成することを特徴とする請求項１３記載の印刷制御プログラム。
【００３４】
また、請求項１６の発明は、請求項１３の発明において、前記印刷イメージに対するページ番号付与の制御を実施するページ番号付与制御処理を更にコンピュータに実行させることを特徴とする。
【００３５】
また、請求項１７の発明は、コンピュータを、原稿の両面画像を順次読み取る画像入力装置で入力処理した入力データを画像出力装置に印刷依頼する印刷制御装置として機能させる印刷制御プログラムにおいて、前記入力データの出力の指示を受け付ける指示受付処理と、前記受け付けた前記入力データの出力の指示に基づき、ジョブを作成するジョブ作成処理と、前記作成したジョブに従って、前記入力データをシングルページ毎のファイルに変換するシングルページ変換処理と、前記変換したシングルページ毎のファイルに対して白紙検知を実施する白紙検知処理と、前記白紙検知により白紙と検知されたページに対応するファイルにＯＮフラグを設定し、前記白紙検知により白紙ではないと検知されたページに対応するファイルにＯＦＦフラグを設定するフラグ設定処理と、前記ＯＮフラグおよび前記ＯＦＦフラグの設定を保持して、前記ファイルを印刷イメージに変換する印刷イメージ変換処理と、前記ＯＮフラグが設定されたページに対応するファイルを削除し、前記ＯＦＦフラグが設定されたページに対応するファイルを電子ファイルに変換する電子ファイル変換処理と、  前記印刷イメージおよび前記電子ファイルを保存するファイル管理処理と、  前記入力データの出力の指示が印刷出力の場合は、前記印刷イメージを画像出力装置に送信して両面印刷の原稿の入力データは両面印刷で印刷し、片面印刷の原稿の入力データは片面印刷で印刷する印刷イメージ送信処理とをコンピュータに実行させることを特徴とする。
【００３６】
また、請求項１８の発明は、請求項１７の発明において、前記印刷イメージを前記画像出力装置に送信する際に、前記印刷イメージに設定されているＯＮフラグに基づいて白紙のイメージの数を算出し、該算出した白紙のイメージの数を除く前記画像出力装置に送信する印刷イメージの数を算出する印刷イメージアカウント処理をコンピュータに実行させることを特徴とする。
【００３７】
また、請求項１９の発明は、請求項１７の発明において、前記ＯＦＦフラグが設定されている印刷イメージのサムネイルを表示するサムネイル表示処理をコンピュータに実行させることを特徴とする。
【００３８】
また、請求項２０の発明は、請求項１７の発明において、前記入力データの出力の指示を記述した指示書を作成する指示書作成処理を更にコンピュータに実行させ、前記ジョブ作成処理は、前記作成した指示書に基づき、前記ジョブを作成することを特徴とする。
【００３９】
また、請求項２１の発明は、請求項１７の発明において、前記印刷イメージに対するページ番号付与の制御を実施するページ番号付与制御処理を更にコンピュータに実行させることを特徴とする。
【００４０】
また、請求項２２の発明は、コンピュータを、原稿の両面画像を順次読み取る画像入力装置で入力処理した入力データを画像出力装置に印刷依頼する印刷制御装置として機能させる印刷制御プログラムにおいて、前記入力データの出力の指示を受け付ける指示受付手段と、前記指示受付手段で受け付けた前記入力データの出力の指示に基づき、ジョブを作成するジョブ作成手段と、前記ジョブ作成手段で作成したジョブに従って、前記入力データをシングルページ毎のファイルに変換するシングルページ変換手段と、前記シングルページ変換手段で変換したシングルページ毎のファイルに対して白紙検知を実施する白紙検知手段と、前記白紙検知手段で白紙と検知されたページに対応するファイルを削除し、該白紙と検知されたページを白紙の位置情報に記録する白紙ページ処理手段と、前記白紙検知手段で白紙ではないと検知されたページに対応するファイルを電子ファイルに変換する電子ファイル変換手段と、前記白紙検知手段で白紙ではないと検知されたページに対応するファイルを印刷イメージに変換する印刷イメージ変換手段と、前記白紙ページ処理手段で記録した白紙の位置情報、前記印刷イメージ変換手段で変換した印刷イメージ、および前記電子ファイル変換手段で変換した電子ファイルを保存するファイル管理手段と、前記入力データの出力の指示が印刷出力の場合は、前記印刷イメージおよび予め用意した白紙イメージを前記画像出力装置に送信して両面印刷の原稿の入力データは両面印刷で印刷し、片面印刷の原稿の入力データは片面印刷で印刷する印刷イメージ送信手段とをコンピュータに実行させ、前記印刷イメージ送信手段は、前記印刷イメージを前記画像出力装置に送信する際に、該送信する印刷イメージの数を算出し、該算出した数が前記白紙の位置情報が示す前記白紙のページの位置の場合に、前記予め用意した白紙イメージを前記画像出力装置に送信することを特徴とする。
【００４４】
また、請求項２３の発明は、請求項２２の発明において、前記入力データの出力の指示を記述した指示書を作成する指示書作成処理を更にコンピュータに実行させ、前記ジョブ作成処理は、前記作成した指示書に基づき、前記ジョブを作成することを特徴とする。
【００４５】
また、請求項２４の発明は、請求項２２の発明において、前記印刷イメージに対するページ番号付与の制御を実施するページ番号付与制御処理を更にコンピュータに実行させることを特徴とする。
【発明の効果】
【００４６】
本発明によれば、１回の操作で、片面印刷と両面印刷との切り替えが行われる印刷出力と電子出力とが可能になるという効果を奏する。
【００４７】
また、本発明によれば、印刷出力は紙パスの制御を切り替える必要が無くなるので、印刷スピードの効率化が可能になるという効果を奏する。
【００４８】
また、本発明によれば、ＰＤＦ機能を有するスキャナを持つ場合には、片面原稿および片面印刷指定、両面原稿および両面印刷指定のような煩雑な操作を行う必要が無くなるという効果を奏する。
【００４９】
また、本発明によれば、ユーザは片面、両面を意識しなくてもページ番号指定が実施することが可能になるという効果を奏する。
【発明を実施するための最良の形態】
【００５０】
以下、本発明の実施の形態について添付図面を参照して詳細に説明する。
【００５１】
本発明の実施の形態として、印刷制御装置とスキャナとプリンタとがネットワークを介して接続されている構成を一例にして説明する。
【００５２】
図１は、本発明の実施の形態で用いる印刷制御システム１の全体構成の一例を示すブロック図である。
【００５３】
図１に示すように、印刷制御システム１は印刷制御装置２と複数のスキャナ３、複数のプリンタ４がネットワーク５を介して接続されて構成される。なお、スキャナ３およびプリンタ４は、必ずしも複数必要なわけではない。
【００５４】
ここで、各装置について詳細に説明する。
【００５５】
印刷制御装置２は、スキャナ３で読み取ったスキャンデータを処理してプリンタ４に送信する。
【００５６】
スキャナ３は、原稿を読み取ることでスキャンデータを入力し、入力したスキャンデータを印刷制御装置２に送信する。
【００５７】
プリンタ４は、印刷制御装置２からの印刷イメージを用紙上に形成する。
【００５８】
次に、印刷制御装置２の構成について詳細に説明する。
【００５９】
図２は、印刷制御装置２の機能的な構成を示すブロック図である。
【００６０】
図２に示すように、印刷制御装置２は、指示受付モジュール６、指示送信モジュール７、指示書作成モジュール８、ジョブ管理モジュール９、スキャンデータ処理モジュール１０、ファイル管理モジュール１１、ファイル保存モジュール１２、印刷イメージ送信モジュール１３を具備して構成される。
【００６１】
ここで、各構成部について詳細に説明する。
【００６２】
指示受付モジュール６は、スキャナ３に対する指示（例えば、解像度、色空間、圧縮フォーマット、イメージスキャンエリア等の指示）、スキャンデータの出力の指示（例えば、１回のスキャンで、電子化したファイル（以後、電子ファイルという）への出力の指示、および紙への出力の指示）を受け付ける指示受付ＵＩ（User Interface）１４を有している。
【００６３】
指示送信モジュール７は、指示受付モジュール６で受け付けたスキャナ３に対する指示をスキャナ３に送信する処理を行う。
【００６４】
指示書作成モジュール８は、指示受付モジュール６で受け付けたスキャンデータの出力の指示を記述した指示書を作成する処理を行う。
【００６５】
ジョブ管理モジュール９は、指示書作成モジュール８で作成した指示書を解析し、解析した指示書に従って、スキャンデータ処理モジュール１０、ファイル管理モジュール１１に対して処理を依頼する処理を行う。なお、ジョブ管理モジュール９は、解析した指示書に記述されている指示に応じたジョブを作成するジョブ作成手段１５を有している。つまり、ジョブ管理モジュール９がスキャンデータ処理モジュール１０およびファイル管理モジュール１１に処理を依頼することにより、指定された指示通りに印刷制御装置２内におけるジョブの流れを管理する。
【００６６】
スキャンデータ処理モジュール１０は、スキャナ３がスキャンしたスキャンデータを電子ファイルおよび印刷イメージに変換する処理を行う。
【００６７】
ファイル管理モジュール１１は、ファイル保存モジュール１２におけるで電子ファイルや印刷イメージの読み出しを管理する処理を行う。
【００６８】
印刷イメージ送信モジュール１３は、印刷イメージをプリンタ４に送信する処理を行う。なお、印刷イメージ送信モジュール１３はプリンタ４に送信する印刷イメージの数（以後、アカウントという）を算出する印刷イメージアカウント手段１６を有する。
【００６９】
次に、スキャンデータ処理モジュール１０の機能的な構成の第１の実施形態について詳細に説明する。
【００７０】
図３は、第１の実施形態のスキャンデータ処理モジュール１０１の機能的な構成を示すブロック図である。
【００７１】
図３に示すように、スキャンデータ処理モジュール１０１は、白紙検知手段１７１、白紙ページ処理手段１８１、電子ファイル変換手段１９１、印刷イメージ変換手段２０１を有している。
【００７２】
ここで、各手段の機能について詳細に説明する。
【００７３】
白紙検知手段１７１は、ジョブ管理モジュール９から受け取ったスキャンデータに対して白紙検知を実施する機能である。
【００７４】
白紙ページ処理手段１８１は、白紙検知手段１７１で白紙検知された白紙ページを削除する機能である。
【００７５】
電子ファイル変換手段１９１は、スキャンデータを電子ファイル（例えば、ＰＤＦ［Portable Document Format］、ＴＩＦＦ［Tagged Image File Format］）に変換する機能である。
【００７６】
印刷イメージ変換手段２０１は、ジョブ管理モジュール９から受け取ったスキャンデータをプリンタ４が解釈可能なデータ（以後、印刷イメージという）に変換する機能である。
【００７７】
次に、スキャンデータを電子ファイルおよび紙に出力する際に、印刷制御装置２が行う第１の機能的な動作について図２および図３を参照して詳細に説明する。
【００７８】
指示受付モジュール６が指示受付ＵＩ１４によりスキャナ３に対する指示およびスキャンデータの出力の指示を受け付けると、スキャナ３に対する指示を指示送信モジュール７に渡すとともに、スキャンデータの出力の指示を指示書作成モジュール８に渡す。
【００７９】
指示送信モジュール７はスキャナ３に対する指示を受け取ると、受け取ったスキャナ３に対する指示をスキャナ３に送信する。ここで、スキャナ３はスキャナ３に対する指示に従って原稿のスキャンを行い、スキャンしたスキャンデータを保持する。
【００８０】
また、指示書作成モジュール８はスキャンデータの出力の指示を受け取ると、受け取ったスキャンデータの出力の指示を記述した指示書を作成し、作成した指示書をジョブ管理モジュール９に渡し、ジョブ管理モジュール９は指示書を受け取ると、受け取った指示書を解析し、ジョブ作成手段１５により指示書に記述されているスキャンデータの出力の指示に基づいてジョブを作成する。そして、ジョブ管理モジュール９はジョブに従って、スキャナ３が保持しているスキャンデータを取り出し、取り出したスキャンデータをスキャンデータ処理モジュール１０１に渡す。
【００８１】
スキャンデータ処理モジュール１０１はスキャンデータを受け取ると、白紙検知手段１７１によりスキャンデータに対して白紙検知を実施し、白紙ページ処理手段１８１により白紙検知されたページのスキャンデータを削除し、電子ファイル変換手段１９１により白紙検知されなかったページのスキャンデータを電子ファイルに変換し、電子ファイルに変換したページを束ねる。そして、スキャンデータ処理モジュール１０１は電子ファイルをファイル管理モジュール１１に渡し、ファイル管理モジュール１１は電子ファイルを受け取ると、受け取った電子ファイルをファイル保存モジュール１２に保存する。
【００８２】
また、スキャンデータ処理モジュール１０１はスキャンデータを受け取ると、印刷イメージ変換手段２０１によりスキャンデータを印刷イメージに変換する。
【００８３】
そして、スキャンデータ処理モジュール１０１は印刷イメージを印刷イメージ送信モジュール１３に渡し、印刷イメージ送信モジュール１３は印刷イメージを受け取ると、印刷イメージアカウント手段１６により印刷イメージのアカウントを計算し、印刷イメージをプリンタ４に送信する。
【００８４】
また、スキャンデータ処理モジュール１０１は印刷イメージをファイル管理モジュール１１に渡し、ファイル管理モジュール１１は印刷イメージを受け取ると、受け取った印刷イメージをファイル保存モジュール１２に保存する。
【００８５】
次に、スキャンデータを電子ファイルに出力する際に、図３に示す第１の実施形態のスキャンデータ処理モジュール１０１が有する白紙検知手段１７１、白紙ページ処理手段１８１および電子ファイル変換手段１９１が行う処理手順について図４に示すフローチャートを参照して説明する。
【００８６】
スキャンデータを受け取り（ステップＳ４０１）、「Ｎ＝０」に設定し（ステップＳ４０２）、「Ｎ＝Ｎ＋１」に設定し（ステップＳ４０３）、ページＮに対して白紙検知を実施する（ステップＳ４０４）。
【００８７】
ページＮが白紙である場合（ステップＳ４０５でＹＥＳ）、ページＮを削除する（ステップＳ４０６）。
【００８８】
ページＮが最終ページでない場合（ステップＳ４０７でＮＯ）、ステップＳ４０３に戻る。
【００８９】
ステップＳ４０５において、ページＮが白紙でない場合（ステップＳ４０５でＮＯ）、ページＮを電子ファイルに変換し（ステップＳ４０８）、ステップＳ４０７に進む。
【００９０】
ステップＳ４０７において、ページＮが最終ページである場合（ステップＳ４０７でＹＥＳ）、電子ファイルに変換したページを束ね（ステップＳ４０９）、処理手順を終了する。
【００９１】
次に、スキャンデータを紙に出力する際に、図３に示す第１の実施形態のスキャンデータ処理モジュール１０１が有する印刷イメージ変換手段２０１と、印刷イメージ送信モジュール１３とが行う処理手順について図５に示すフローチャートを参照して説明する。
【００９２】
スキャンデータを受け取り（ステップＳ５０１）、「Ｎ＝０」に設定し（ステップＳ５０２）、「Ｎ＝Ｎ＋１」に設定し（ステップＳ５０３）、ページＮを印刷イメージに変換する（ステップＳ５０４）。
【００９３】
ページＮが最終ページでない場合（ステップＳ５０５でＮＯ）、ステップＳ５０３に戻る。
【００９４】
ステップＳ５０５において、ページＮが最終ページである場合（ステップＳ５０５でＹＥＳ）、印刷イメージのアカウントをＮに設定し（ステップＳ５０６）、プリンタに印刷イメージを送信し（ステップＳ５０７）、処理手順を終了する。
【００９５】
次に、図３に示す第１の実施形態のスキャンデータ処理モジュール１０１で処理した電子ファイルおよび印刷イメージについて詳細に説明する。
【００９６】
図６は、図３に示す第１の実施形態のスキャンデータ処理モジュール１０１で変換した電子ファイル２２１および印刷イメージ２３１ついて説明する図である。
【００９７】
図６（ａ）は、スキャナ３で読み取ったスキャンデータ２１を示す図であり、図６（ｂ）は、図６（ａ）に示すスキャンデータを第１の実施形態のスキャンデータ処理モジュール１０１で変換した電子ファイル２２１および印刷イメージ２３１を示す図である。
【００９８】
例えば、スキャナ３が両面印刷機能により原稿を読み取ったスキャンデータ２１が、図６（ａ）に示すように、
『ページ１［表］、ページ１［裏］、ページ２［表］、ページ２［裏］、ページ３［表］、ページ３［裏（白紙）］、ページ４［表］、ページ４［裏］、ページ５［表］、ページ５［裏（白紙）］』
であったとする。なお、『』は１つのファイルを表す。
【００９９】
そして、図６（ａ）に示すスキャンデータ２１はスキャンデータ処理モジュール１０１において、白紙検知手段１７１によりページ３［裏］およびページ５［裏］が白紙であると検知されるため、白紙ページ処理手段１８１によりページ３［裏］およびページ５［裏］が削除され、電子ファイル変換手段１９１によりページ１［表］、ページ１［裏］、ページ２［表］、ページ２［裏］、ページ３［表］、ページ４［表］、ページ４［裏］、ページ５［表］が電子ファイルに変換される。
【０１００】
従って、図６（ａ）に示すスキャンデータ２１を第１の実施形態のスキャンデータ処理モジュール１０１で変換した電子ファイル２２１は、図６（ｂ）に示すように、
『ページ１［表］、ページ１［裏］、ページ２［表］、ページ２［裏］、ページ３［表］、ページ４［表］、ページ４［裏］、ページ５［表］』
となる。
【０１０１】
また、図６（ａ）に示すスキャンデータ２１はスキャンデータ処理モジュール１０１において、印刷イメージ変換手段２０１により全てのスキャンデータ２１が印刷イメージに変換される。
【０１０２】
従って、図６（ａ）に示すスキャンデータ２１を第１の実施形態のスキャンデータ処理モジュール１０１で変換した印刷イメージ２３１は、図６（ｂ）に示すように、
『ページ１［表］』
『ページ１［裏］』
『ページ２［表］』
『ページ２［裏］』
『ページ３［表］』
『ページ３［裏（白紙）］』
『ページ４［表］』
『ページ４［裏］』
『ページ５［表］』
『ページ５［裏（白紙）］』
となる。
【０１０３】
なお、図６（ａ）に示すスキャンデータ２１を第１の実施形態のスキャンデータ処理モジュール１０１で変換した印刷イメージ２３１を再印刷等のために保存する場合、上記の全ての印刷イメージ２３１がファイル保存モジュール１２に保存される。
【０１０４】
なお、再印刷等のために保存されている印刷イメージのサムネイルを表示する際には、保存されている全ての印刷イメージのサムネイルが表示される。
【０１０５】
次に、スキャンデータ処理モジュール１０の機能的な構成の第２の実施形態について詳細に説明する。
【０１０６】
図７は、第２の実施形態のスキャンデータ処理モジュール１０２の機能的な構成を示すブロック図である。
【０１０７】
図７に示すように、スキャンデータ処理モジュール１０２は、シングルページ変換手段２４２、白紙検知手段１７２、フラグ設定手段２５、電子ファイル変換手段１９２、印刷イメージ変換手段２０２を有している。
【０１０８】
ここで、各手段の機能について詳細に説明する。
【０１０９】
シングルページ変換手段２４２は、ジョブ管理モジュール９から受け取ったスキャンデータをシングルページ毎のファイルに変換する機能である。
【０１１０】
白紙検知手段１７２は、シングルページ変換手段２４２でシングルページ毎のファイルに変換したスキャンデータに対して白紙検知を実施する機能である。
【０１１１】
フラグ設定手段２５は、白紙検知手段１７２で白紙検知されたページにＯＮフラグを設定し、白紙検知されなかったページにＯＦＦフラグを設定する機能である。
【０１１２】
電子ファイル変換手段１９２は、ＯＦＦフラグが設定されているページを電子ファイルに変換し、ＯＮフラグが設定されているページを削除する機能である。
【０１１３】
印刷イメージ変換手段２０２は、全てのページを印刷イメージに変換する機能である。なお、フラグ設定手段２５により各ページに設定されたＯＮフラグおよびＯＦＦフラグは保持する。
【０１１４】
次に、スキャンデータを電子ファイルおよび紙に出力する際に、印刷制御装置２が行う第２の機能的な動作について図２および図７を参照して詳細に説明する。
【０１１５】
指示受付モジュール６が指示受付ＵＩ１４によりスキャナ３に対する指示およびスキャンデータの出力の指示を受け付けると、スキャナ３に対する指示を指示送信モジュール７に渡すとともに、スキャンデータの出力の指示を指示書作成モジュール８に渡す。
【０１１６】
指示送信モジュール７はスキャナ３に対する指示を受け取ると、受け取ったスキャナ３に対する指示をスキャナ３に送信する。ここで、スキャナ３はスキャナ３に対する指示に従って原稿のスキャンを行い、スキャンしたスキャンデータを保持する。
【０１１７】
また、指示書作成モジュール８はスキャンデータの出力の指示を受け取ると、受け取ったスキャンデータの出力の指示を記述した指示書を作成し、作成した指示書をジョブ管理モジュール９に渡し、ジョブ管理モジュール９は指示書を受け取ると、受け取った指示書を解析し、ジョブ作成手段１５により指示書に記述されているスキャンデータの出力の指示に基づいてジョブを作成する。そして、ジョブ管理モジュール９はジョブに従って、スキャナが保持しているスキャンデータを取り出し、取り出したスキャンデータをスキャンデータ処理モジュール１０２に渡す。
【０１１８】
スキャンデータ処理モジュール１０２はスキャンデータを受け取ると、受け取ったスキャンデータをシングルページ変換手段２４２によりシングルページ毎のファイルに変換し、白紙検知手段１７２によりシングルページ毎のファイルに対して白紙検知を実施し、フラグ設定手段２５により白紙検知されたページにＯＮフラグを設定し、白紙検知されなかったページにＯＦＦフラグを設定する。
【０１１９】
そして、スキャンデータ処理モジュール１０２は、電子ファイル変換手段１９２によりＯＮフラグが設定されているページを削除し、ＯＦＦフラグが設定されているページを電子ファイルに変換し、電子ファイルに変換したページを束ねる。そして、スキャンデータ処理モジュール１０２は電子ファイルをファイル管理モジュール１１に渡し、ファイル管理モジュール１１は電子ファイルを受け取ると、受け取った電子ファイルをファイル保存モジュール１２に保存する。
【０１２０】
また、スキャンデータ処理モジュール１０２は、印刷イメージ変換手段２０２により全てのページを印刷イメージに変換し、各ページに設定されているフラグは保持する。
【０１２１】
そして、スキャンデータ処理モジュール１０２は印刷イメージを印刷イメージ送信モジュール１３に渡し、印刷イメージ送信モジュール１３は印刷イメージを受け取ると、印刷イメージの各ページに設定されているフラグに基づき、印刷イメージアカウント手段１６により印刷イメージのアカウントを計算し、印刷イメージをプリンタ４に送信する。
【０１２２】
また、スキャンデータ処理モジュール１０２は各ページに設定されているフラグを保持したまま、印刷イメージをファイル管理モジュール１１に渡し、ファイル管理モジュール１１は印刷イメージを受け取ると、受け取った印刷イメージをファイル保存モジュール１２に保存する。
【０１２３】
次に、スキャンデータを電子ファイルおよび紙に出力する際に、図７に示す第２の実施形態のスキャンデータ処理モジュール１０２が有するシングルページ変換手段２４２、白紙検知手段１７２およびフラグ設定手段２５が行う処理手順について図８に示すフローチャートを参照して説明する。
【０１２４】
スキャンデータを受け取り（ステップＳ８０１）、受け取ったスキャンデータをシングルページ毎のファイルに変換し（ステップＳ８０２）、「Ｎ＝０」に設定し（ステップＳ８０３）、「Ｎ＝Ｎ＋１」に設定し（ステップＳ８０４）、ページＮに対して白紙検知を実施する（ステップＳ８０５）。
【０１２５】
ページＮが白紙である場合（ステップＳ８０６でＹＥＳ）、ページＮに対してＯＮフラグを設定する（ステップＳ８０７）。
【０１２６】
ページＮが最終ページでない場合（ステップＳ８０８でＮＯ）、ステップＳ８０４に戻る。
【０１２７】
ステップＳ８０６において、ページＮが白紙でない場合（ステップＳ８０６でＮＯ）、ページＮに対してＯＦＦフラグを設定し（ステップＳ８０９）、ステップＳ８０８に進む。
【０１２８】
ステップＳ８０８において、ページＮが最終ページである場合（ステップＳ８０８でＹＥＳ）、処理手順を終了する。
【０１２９】
次に、スキャンデータを電子ファイルに出力する際に、図７に示す第２の実施形態のスキャンデータ処理モジュール１０２が有する電子ファイル変換手段１９２が行う処理手順について図９に示すフローチャートを参照して説明する。
【０１３０】
「Ｎ＝０」に設定し（ステップＳ９０１）、「Ｎ＝Ｎ＋１」に設定し（ステップＳ９０２）、ページＮに設定されたフラグを確認する（ステップＳ９０３）。
【０１３１】
ページＮにＯＮフラグが設定されている場合（ステップＳ９０４でＹＥＳ）、ページＮを削除する（ステップＳ９０５）。
【０１３２】
ページＮが最終ページでない場合（ステップＳ９０６でＮＯ）、ステップＳ９０２に戻る。
【０１３３】
ステップＳ９０４において、ページＮにＯＦＦフラグが設定されている場合（ステップＳ９０４でＮＯ）、ページＮを電子ファイルに変換し（ステップＳ９０７）、ステップＳ９０６に進む。
【０１３４】
ステップＳ９０６において、ページＮが最終ページである場合（ステップＳ９０６でＹＥＳ）、電子ファイルに変換したページを束ね（ステップＳ９０８）、処理手順を終了する。
【０１３５】
次に、スキャンデータを紙に出力する際に、図７に示す第２の実施形態のスキャンデータ処理モジュール１０２が有する印刷イメージ変換手段２０２と、印刷イメージ送信モジュール１３とが行う処理手順について図１０に示すフローチャートを参照して説明する。
【０１３６】
「Ｎ＝０、Ｍ＝０」に設定し（ステップＳ１００１）、「Ｎ＝Ｎ＋１」に設定し（ステップＳ１００２）、ページＮに設定されたフラグを確認する（ステップＳ１００３）。
【０１３７】
ページＮにＯＮフラグが設定されている場合（ステップＳ１００４でＹＥＳ）、「Ｍ＝Ｍ＋１」に設定し（ステップＳ１００５）、ページＮを印刷イメージに変換する（ステップＳ１００６）。
【０１３８】
ステップＳ１００４において、ページＮにＯＦＦフラグが設定されている場合（ステップＳ１００４でＮＯ）、ページＮを印刷イメージに変換し（ステップＳ１００６）。
【０１３９】
ページＮが最終ページでない場合（ステップＳ１００７でＮＯ）、ステップＳ１００２に戻る。
【０１４０】
ステップＳ１００７において、ページＮが最終ページである場合（ステップＳ１００７でＹＥＳ）、印刷イメージのアカウントを「Ｎ−Ｍ」に設定し（ステップＳ１００８）、プリンタに印刷イメージを送信し（ステップＳ１００９）、処理手順を終了する。
【０１４１】
次に、図７に示す第２の実施形態のスキャンデータ処理モジュール１０２で処理した電子ファイルおよび印刷イメージについて詳細に説明する。
【０１４２】
図１１は、図７に示す第２の実施形態のスキャンデータ処理モジュール１０２で変換した電子ファイル２２２および印刷イメージ２３２について説明する図である。
【０１４３】
図１１（ａ）は、スキャナ３で読み取ったスキャンデータ２１を示す図であり、図１１（ｂ）は、図１１（ａ）に示すスキャンデータ２１を第２の実施形態のスキャンデータ処理モジュール１０２で変換した電子ファイル２２２および印刷イメージ２３２を示す図である。
【０１４４】
例えば、スキャナ３が両面印刷機能により原稿を読み取ったスキャンデータ２１が、図１１（ａ）に示すように、
『ページ１［表］、ページ１［裏］、ページ２［表］、ページ２［裏］、ページ３［表］、ページ３［裏（白紙）］、ページ４［表］、ページ４［裏］、ページ５［表］、ページ５［裏（白紙）］』
であったとする。なお、『』は１つのファイルを表す。
【０１４５】
そして、図１１（ａ）に示すスキャンデータ２１はスキャンデータ処理モジュール１０２において、白紙検知手段１７２によりページ３［裏］およびページ５［裏］が白紙であると検知され、フラグ設定手段２５によりページ３［裏］およびページ５［裏］にＯＮフラグが設定されるため、電子ファイル変換手段１９２によりページ３［裏］およびページ５［裏］が削除され、ページ１［表］、ページ１［裏］、ページ２［表］、ページ２［裏］、ページ３［表］、ページ４［表］、ページ４［裏］、ページ５［表］が電子ファイルに変換される。
【０１４６】
従って、図１１（ａ）に示すスキャンデータ２１を第２の実施形態のスキャンデータ処理モジュール１０２で変換した電子ファイル２２２は、図１１（ｂ）に示すように、
『ページ１［表］、ページ１［裏］、ページ２［表］、ページ２［裏］、ページ３［表］、ページ４［表］、ページ４［裏］、ページ５［表］』
となる。
【０１４７】
また、図１１（ａ）に示すスキャンデータ２１はスキャンデータ処理モジュール１０２において、印刷イメージ変換手段２０２により全てのスキャンデータ２１が印刷イメージに変換される。
【０１４８】
従って、図１１（ａ）に示すスキャンデータ２１を第２の実施形態のスキャンデータ処理モジュール１０２で変換した印刷イメージ２３２は、図１１（ｂ）に示すように、
『ページ１［表］』
『ページ１［裏］』
『ページ２［表］』
『ページ２［裏］』
『ページ３［表］』
『ページ３［裏（白紙）］』
『ページ４［表］』
『ページ４［裏］』
『ページ５［表］』
『ページ５［裏（白紙）］』
となる。
【０１４９】
また、図１１（ａ）に示すスキャンデータ２１を第２の実施形態のスキャンデータ処理モジュール１０２で変換した印刷イメージ２３２を再印刷等のために保存する場合、図１１（ｂ）に示すように、
『ページ１［表］：ＯＦＦフラグ』
『ページ１［裏］：ＯＦＦフラグ』
『ページ２［表］：ＯＦＦフラグ』
『ページ２［裏］：ＯＦＦフラグ』
『ページ３［表］：ＯＦＦフラグ』
『ページ３［裏（白紙）］：ＯＮフラグ』
『ページ４［表］：ＯＦＦフラグ』
『ページ４［裏］：ＯＦＦフラグ』
『ページ５［表］：ＯＦＦフラグ』
『ページ５［裏（白紙）］：ＯＮフラグ』
となる。従って、保存されている印刷イメージ２６を再印刷する場合でも、各ページに設定されたフラグは保持されているので、白紙ページのアカウントを削除することができる。
【０１５０】
なお、再印刷等のために保存されている印刷イメージ２６のサムネイルを表示する際には、ＯＦＦフラグが設定されている印刷イメージのサムネイルのみが表示される。
【０１５１】
次に、スキャンデータ処理モジュール１０の機能的な構成の第３の実施形態について詳細に説明する。
【０１５２】
図１２は、第３の実施形態のスキャンデータ処理モジュール１０３の機能的な構成を示すブロック図である。
【０１５３】
図１２に示すように、スキャンデータ処理モジュール１０３は、シングルページ変換手段２４３、白紙検知手段１７３、白紙ページ処理手段１８３、電子ファイル変換手段１９３、印刷イメージ変換手段２０３を有している。
【０１５４】
ここで、各手段の機能について詳細に説明する。
【０１５５】
シングルページ変換手段２４３は、ジョブ管理モジュール９から受け取ったスキャンデータをシングルページ毎のファイルに変換する機能である。
【０１５６】
白紙検知手段１７３は、シングルページ変換手段２４３でシングルページ毎のファイルに変換したスキャンデータに対して白紙検知を実施する機能である。
【０１５７】
白紙ページ処理手段１８３は、白紙検知手段１７３で白紙検知された白紙ページを削除し、削除した白紙の位置情報を記録する機能である。
【０１５８】
電子ファイル変換手段１９３は、スキャンデータを電子ファイルに変換する機能である。
【０１５９】
印刷イメージ変換手段２０３は、スキャンデータを印刷イメージに変換する機能である。なお、白紙の位置情報は保持する。
【０１６０】
次に、スキャンデータを電子ファイルおよび紙に出力する際に、印刷制御装置２が行う第３の機能的な動作について図２および図１２を参照して詳細に説明する。
【０１６１】
指示指定モジュール６が指示指定ＵＩ１４によりスキャナ３に対する指示およびスキャンデータの出力の指示を受け付けると、スキャナ３に対する指示を指示送信モジュール７に渡すとともに、スキャンデータの出力の指示を指示書作成モジュール８に渡す。
【０１６２】
指示送信モジュール７はスキャナ３に対する指示を受け取ると、受け取ったスキャナ３に対する指示をスキャナ３に送信する。ここで、スキャナ３はスキャナに対する指示に従って原稿のスキャンを行い、スキャンしたスキャンデータを保持する。
【０１６３】
また、指示書作成モジュール８はスキャンデータの出力の指示を受け取ると、受け取ったスキャンデータの出力の指示を記述した指示書を作成し、作成した指示書をジョブ管理モジュール９に渡し、ジョブ管理モジュール９は指示書を受け取ると、受け取った指示書を解析し、ジョブ作成手段１５により指示書に記述されているスキャンデータの出力の指示に基づいてジョブを作成する。そして、ジョブ管理モジュール９はジョブに従って、スキャナ３が保持しているスキャンデータを取り出し、取り出したスキャンデータをスキャンデータ処理モジュール１０３に渡す。
【０１６４】
スキャンデータ処理モジュール１０３はスキャンデータを受け取ると、シングルページ変換手段２４３によりスキャンデータをシングルページ毎のファイルに変換し、白紙検知手段１７３によりシングルページ毎のファイルに対して白紙検知を実施し、白紙ページ処理手段１８３により白紙検知されたページのスキャンデータを削除し、削除した白紙の位置情報を記録する。
【０１６５】
そして、スキャンデータ処理モジュール１０３は、電子ファイル変換手段１９３により白紙検知されなかったページのスキャンデータを電子ファイルに変換し、電子ファイルに変換したページを束ねる。そして、スキャンデータ処理モジュール１０３は電子ファイルをファイル管理モジュール１１に渡し、ファイル管理モジュール１１は電子ファイルを受け取ると、受け取った電子ファイルをファイル保存モジュール１２に保存する。
【０１６６】
また、スキャンデータ処理モジュール１０３は、印刷イメージ変換手段２０３により白紙検知されなかったページのスキャンデータを印刷イメージに変換し、削除した白紙の位置情報は保持する。
【０１６７】
そして、スキャンデータ処理モジュール１０３は印刷イメージおよび白紙の位置情報を印刷イメージ送信モジュール１３に渡す。
【０１６８】
印刷イメージ送信モジュール１３は印刷イメージおよび白紙の位置情報を受け取ると、白紙の位置情報に基づいて白紙ページの位置を確認し、白紙ページの位置であると確認した場合は、ファイル保存モジュール１２に予め保存されている白紙イメージを取り出し、取り出した白紙イメージをプリンタ４に送信し、白紙ページの位置ではないと確認した場合は、印刷イメージをプリンタ４に送信する。そして、印刷イメージ送信モジュール１３は印刷イメージアカウント手段１６により印刷イメージのアカウントを計算する。
【０１６９】
また、スキャンデータ処理モジュール１０３は白紙の位置情報を保持したまま、印刷イメージおよび白紙の位置情報をファイル管理モジュール１１に渡し、ファイル管理モジュール１１は印刷イメージおよび白紙の位置情報を受け取ると、受け取った印刷イメージおよび白紙の位置情報をファイル保存モジュール１２に保存する。
【０１７０】
次に、スキャンデータを電子ファイルおよび紙に出力する際に、図１２に示す第３の実施形態のスキャンデータ処理モジュール１０３が有するシングルページ変換手段２４３、白紙検知手段１７３および白紙ページ処理手段１８３が行う処理手順について図１３に示すフローチャートを参照して説明する。
【０１７１】
スキャンデータを受け取り（ステップＳ１３０１）、受け取ったスキャンデータをシングルページ毎のファイルに変換し（ステップＳ１３０２）、「Ｎ＝０」に設定し（ステップＳ１３０３）、「Ｎ＝Ｎ＋１」に設定し（ステップＳ１３０４）、ページＮに対して白紙検知を実施する（ステップＳ１３０５）。
【０１７２】
ページＮが白紙である場合（ステップＳ１３０６でＹＥＳ）、ページＮを削除し（ステップＳ１３０７）、白紙の位置情報を記録する（ステップＳ１３０８）。
【０１７３】
ページＮが最終ページでない場合（ステップＳ１３０９でＮＯ）、ステップＳ１３０４に戻る。
【０１７４】
ステップＳ１３０６において、ページＮが白紙でない場合（ステップＳ１３０６でＮＯ）、ステップＳ１３０９に進む。
【０１７５】
ステップＳ１３０９において、ページＮが最終ページである場合（ステップＳ１３０９でＹＥＳ）、処理手順を終了する。
【０１７６】
次に、スキャンデータを電子ファイルに出力する際に、図１２に示す第３の実施形態のスキャンデータ処理モジュール１０３が有する電子ファイル変換手段１９３が行う処理手順について図１４に示すフローチャートを参照して説明する。
【０１７７】
「Ｎ＝０」に設定し（ステップＳ１４０１）、「Ｎ＝Ｎ＋１」に設定し（ステップＳ１４０２）、ページＮの有無を確認する（ステップＳ１４０３）。
【０１７８】
ページＮが有る場合（ステップＳ１４０４でＹＥＳ）、ページＮを電子ファイルに変換する（ステップＳ１４０５）。なお、ステップＳ１４０４において、ページＮが無い場合（ステップＳ１４０４でＮＯ）、ステップＳ１４０６に進む。
【０１７９】
ページＮが最終ページでない場合（ステップＳ１４０６でＮＯ）、ステップＳ１４０２に戻る。
【０１８０】
ステップＳ１４０６において、ページＮが最終ページである場合（ステップＳ１４０６でＹＥＳ）、電子ファイルに変換したページを束ね（ステップＳ１４０８）、処理手順を終了する。
【０１８１】
次に、スキャンデータを紙に出力する際に、図１２に示す第２の実施形態のスキャンデータ処理モジュール１０３が有する印刷イメージ変換手段２０３と、印刷イメージ送信モジュール１３とが行う処理手順について図１５に示すフローチャートを参照して説明する。
【０１８２】
「Ｎ＝０」に設定し（ステップＳ１５０１）、「Ｎ＝Ｎ＋１」に設定し（ステップＳ１５０２）、ページＮの有無を確認する（ステップＳ１５０３）。
【０１８３】
ページＮが有る場合（ステップＳ１５０４でＹＥＳ）、ページＮを印刷イメージに変換し（ステップＳ１５０５）、プリンタに印刷イメージを送信する（ステップＳ１５０６）。
【０１８４】
ステップＳ１５０４において、ページＮが無い場合（ステップＳ１５０４でＮＯ）、白紙イメージを取り出し（ステップＳ１５０７）、取り出した白紙イメージをプリンタに送信する（ステップＳ１５０８）。
【０１８５】
ページＮが最終ページでない場合（ステップＳ１５０９でＮＯ）、ステップＳ１５０２に戻る。
【０１８６】
ステップＳ１５０９において、ページＮが最終ページである場合（ステップＳ１５０９でＹＥＳ）、印刷イメージのアカウントを設定し（ステップＳ１５１０）、処理手順を終了する。
【０１８７】
次に、図１２に示す第３の実施形態のスキャンデータ処理モジュール１０３で処理した電子ファイルおよび印刷イメージについて詳細に説明する。
【０１８８】
図１６は、図１２に示す第３の実施形態のスキャンデータ処理モジュール１０３で変換した電子ファイル２２３および印刷イメージ２３３について説明する図である。
【０１８９】
図１６（ａ）は、スキャナ３で読み取ったスキャンデータを示す図であり、図１６（ｂ）は、図１６（ａ）に示すスキャンデータを第３の実施形態のスキャンデータ処理モジュール１０３で変換した電子ファイル２２３および印刷イメージ２３３を示す図である。
【０１９０】
例えば、スキャナ３が両面印刷機能により原稿を読み取ったスキャンデータ２１が、図１６（ａ）に示すように、
『ページ１［表］、ページ１［裏］、ページ２［表］、ページ２［裏］、ページ３［表］、ページ３［裏（白紙）］、ページ４［表］、ページ４［裏］、ページ５［表］、ページ５［裏（白紙）］』
であったとする。なお、『』は１つのファイルを表す。
【０１９１】
そして、図１６（ａ）に示すスキャンデータ２１はスキャンデータ処理モジュール１０３において、白紙検知手段１７３によりページ３［裏］およびページ５［裏］が白紙であると検知されるため、白紙ページ処理手段１８３によりページ３［裏］およびページ５［裏］が削除されるとともに、ページ３［裏］およびページ５［裏］が白紙の位置情報に記録され、電子ファイル変換手段１９３によりページ１［表］、ページ１［裏］、ページ２［表］、ページ２［裏］、ページ３［表］、ページ４［表］、ページ４［裏］、ページ５［表］が電子ファイルに変換される。
【０１９２】
従って、図１６（ａ）に示すスキャンデータ２１を第３の実施形態のスキャンデータ処理モジュール１０３で変換した電子ファイル２２３は、図１６（ｂ）に示すように、
『ページ１［表］、ページ１［裏］、ページ２［表］、ページ２［裏］、ページ３［表］、ページ４［表］、ページ４［裏］、ページ５［表］』
となる。
【０１９３】
また、図１６（ａ）に示すスキャンデータ２１はスキャンデータ処理モジュール１０３において、白紙検知手段１７３によりページ３［裏］およびページ５［裏］が白紙であると検知されるため、白紙ページ処理手段１８３によりページ３［裏］およびページ５［裏］が削除されるとともに、ページ３［裏］およびページ５［裏］が白紙の位置情報に記録され、印刷イメージ変換手段２０３によりページ１［表］、ページ１［裏］、ページ２［表］、ページ２［裏］、ページ３［表］、ページ４［表］、ページ４［裏］、ページ５［表］が印刷イメージに変換される。
【０１９４】
従って、図１６（ａ）に示すスキャンデータ２１を第３の実施形態のスキャンデータ処理モジュール１０３で変換した印刷イメージ２３３と、白紙の位置情報２７とは、図１６（ｂ）に示すように、
『ページ１［表］』
『ページ１［裏］』
『ページ２［表］』
『ページ２［裏］』
『ページ３［表］』
『ページ４［表］』
『ページ４［裏］』
『ページ５［表］』
『白紙の位置情報』
となる。
【０１９５】
なお、図１６（ａ）に示すスキャンデータ２１を第３の実施形態のスキャンデータ処理モジュール１０３で変換した印刷イメージ２３３を再印刷等のために保存する場合、上記の全ての印刷イメージ２３３と白紙の位置情報２７とがファイル保存モジュール１２に保存される。
【０１９６】
また、再印刷等のために保存されている印刷イメージのサムネイルを表示する際には、保存されている全ての印刷イメージのサムネイルが表示される。
【０１９７】
更に、白紙ページに対するページ番号付けの要求を満たすことも可能である。
【０１９８】
図１７は、白紙ページに対するページ番号付与について説明する図である。
【０１９９】
例えば、スキャナで読み取ったスキャンデータが、図１７（ａ）に示すように、
『ページ１、ページ２、ページ３、ページ４（白紙）、ページ５、ページ６』
であったとする。
【０２００】
図１７（ｂ）は、図１７（ａ）に示すスキャンデータを、白紙ページにはページ番号を付与せずに出力する場合を示す図である。
【０２０１】
図１７（ｃ）は、図１７（ａ）に示すスキャンデータを、白紙ページにもページ番号を付与して出力する場合を示す図である。
【０２０２】
図１７（ｄ）は、図１７（ａ）に示すスキャンデータを、白紙ページにはページ番号を付与せず、白紙ページを飛ばして連続ページ番号を付与して出力する場合を示す図である。
【０２０３】
なお、本発明は、上記で説明したようなスキャナに対する指示、およびスキャンデータの出力の指示を指示書に記述する構成に限定する必要はなく、スキャナに対する指示をそのままスキャナに送信する構成や、スキャンデータの出力の指示に基づいてジョブを作成する構成でも適用可能である。
【０２０４】
また、本発明は、上記で説明した実施の形態の印刷制御装置２と同様の処理を行うことが可能な画像処理プログラムを一般的なＰＣ（Personal Computer）等の汎用電子計算機にインストールする構成でも適用可能である。
【図面の簡単な説明】
【０２０５】
【図１】本発明の実施の形態で用いる印刷制御システム１の全体構成の一例を示すブロック図である。
【図２】印刷制御装置２の機能的な構成を示すブロック図である。
【図３】第１の実施形態のスキャンデータ処理モジュール１０１の機能的な構成を示すブロック図である。
【図４】スキャンデータを電子ファイルに出力する際に、図３に示す第１の実施形態のスキャンデータ処理モジュール１０１が有する白紙検知手段１７１、白紙ページ処理手段１８１および電子ファイル変換手段１９１が行う処理手順を示すフローチャートである。
【図５】スキャンデータを紙に出力する際に、図３に示す第１の実施形態のスキャンデータ処理モジュール１０１が有する印刷イメージ変換手段２０１と、印刷イメージ送信モジュール１３とが行う処理手順を示すフローチャートである。
【図６】図３に示す第１の実施形態のスキャンデータ処理モジュール１０１で変換した電子ファイル２２１および印刷イメージ２３１ついて説明する図である。
【図７】第２の実施形態のスキャンデータ処理モジュール１０２の機能的な構成を示すブロック図である。
【図８】スキャンデータを電子ファイルおよび紙に出力する際に、図７に示す第２の実施形態のスキャンデータ処理モジュール１０２が有するシングルページ変換手段２４２、白紙検知手段１７２およびフラグ設定手段２５が行う処理手順を示すフローチャートである。
【図９】スキャンデータを電子ファイルに出力する際に、図７に示す第２の実施形態のスキャンデータ処理モジュール１０２が有する電子ファイル変換手段１９２が行う処理手順を示すフローチャートである。
【図１０】スキャンデータを紙に出力する際に、図７に示す第２の実施形態のスキャンデータ処理モジュール１０２が有する印刷イメージ変換手段２０２と、印刷イメージ送信モジュール１３とが行う処理手順を示すフローチャートである。
【図１１】図７に示す第２の実施形態のスキャンデータ処理モジュール１０２で変換した電子ファイル２２２および印刷イメージ２３２について説明する図である。
【図１２】第３の実施形態のスキャンデータ処理モジュール１０３の機能的な構成を示すブロック図である。
【図１３】スキャンデータを電子ファイルおよび紙に出力する際に、図１２に示す第３の実施形態のスキャンデータ処理モジュール１０３が有するシングルページ変換手段２４３、白紙検知手段１７３および白紙ページ処理手段１８３が行う処理手順を示すフローチャートである。
【図１４】スキャンデータを電子ファイルに出力する際に、図１２に示す第３の実施形態のスキャンデータ処理モジュール１０３が有する電子ファイル変換手段１９３が行う処理手順を示すフローチャートである。
【図１５】スキャンデータを紙に出力する際に、図１２に示す第２の実施形態のスキャンデータ処理モジュール１０３が有する印刷イメージ変換手段２０３と、印刷イメージ送信モジュール１３とが行う処理手順を示すフローチャートである。
【図１６】図１２に示す第３の実施形態のスキャンデータ処理モジュール１０３で変換した電子ファイル２２３および印刷イメージ２３３について説明する図である。
【図１７】白紙ページに対するページ番号付与について説明する図である。
【符号の説明】
【０２０６】
１    印刷制御システム
２    印刷制御装置
３    スキャナ
４    プリンタ
５    ネットワーク
６    指示受付モジュール
７    指示送信モジュール
８    指示書作成モジュール
９    ジョブ管理モジュール
１０、１０１、１０２、１０３    スキャンデータ処理モジュール
１１    ファイル管理モジュール
１２    ファイル保存モジュール
１３    印刷イメージ送信モジュール
１４    指示受付ＵＩ
１５    ジョブ作成手段
１６    印刷イメージアカウント手段
１７１、１７２、１７３    白紙検知手段
１８１、１８３    白紙ページ処理手段
１９１、１９２、１９３    電子ファイル変換手段
２０１、２０２、２０３    印刷イメージ変換手段
２１    スキャンデータ
２２１、２２２、２２３    電子ファイル
２３１、２３２、２３３    印刷イメージ
２４２、２４３    シングルページ変換手段
２５    フラグ設定手段
２６    保存されている印刷イメージ
２７    白紙の位置情報
【図１】
0004765271.tif 000002
【図２】
0004765271.tif 000003
【図３】
0004765271.tif 000004
【図４】
0004765271.tif 000005
【図５】
0004765271.tif 000006
【図６】
0004765271.tif 000007
【図７】
0004765271.tif 000008
【図８】
0004765271.tif 000009
【図９】
0004765271.tif 000010
【図１０】
0004765271.tif 000011
【図１１】
0004765271.tif 000012
【図１２】
0004765271.tif 000013
【図１３】
0004765271.tif 000014
【図１４】
0004765271.tif 000015
【図１５】
0004765271.tif 000016
【図１６】
0004765271.tif 000017
【図１７】
0004765271.tif 000018